(57)【要約】      （修正有）【課題】屋内や室内の壁などに掛けて掲示する額やボードに植生する観賞用植物を組合せた額やボードに入れた壁掛け型観賞用植物に関するものである。【解決手段】代表的な観賞用植物である蘭などの植生する観賞用植物１を内部に植生基盤材２を壁５に掛けた額３やボードとを組合せた基本構成である。額３に入れた観賞用植物１の根茎部を観賞性の良いカバー材４で覆うし、額３の下部は植生基盤材料２の欠片落下防止や水漏れ防止構造とする。【選択図】図１
0003135647.tif 000002
【実用新案登録請求の範囲】
【請求項１】
植生する観賞用植物と掲示用の額やボードを組合せた額に入れた壁掛け型観賞用植物。
【請求項２】
直接植栽する観賞用植物と植生基盤材料を有した壁掛け掲示用の額やボードとを組合せることを特徴とした請求項１記載の額に入れた壁掛け型観賞用植物。
【考案の詳細な説明】
【技術分野】
【０００１】  本考案は屋内や室内の壁などに掛けて掲示する額やボードに植生する観賞用植物を組合せた額やボードに入れた壁掛け型観賞用植物に関するものである。
【背景技術】
【０００２】  従来、観葉植物など植生する観賞用植物においては鉢やプランターなどの容器に植えて床上、机上、棚上などに立てた姿勢でのセットが一般的であって、絵画のように壁など縦面への掲示し壁掛け状態で観賞できる技術は開発されていなかった。
【考案が解決しようとする課題】
【０００３】  額に入った絵画は壁など縦面に掲示されて視界的にも鑑賞用として最適な配置となり癒しなどに有効に作用していますが、植生する観賞用植物は鉢植えやプランター植えなどが一般的であり床や机や棚などに立てた姿勢でのセットであって、視界的にも観賞用として満足し得るものではなかったし、ポジション的なマンネリ化の問題もあった。
【０００４】  観賞をより有効に楽しむためには、視界の配置的に最も有効と言われている額に入った絵画とほぼ同様なポジションに植生する観賞用植物を掲示できる技術の開発が必要であった。
【課題を解決する手段】
【０００５】  本課題を解決する基本的手段を説明すれば、
代表的な観賞用植物として栽培される蘭などの植生する観賞用植物と内部に植生基盤材を有した植物植生機構の額やボードとを組合せた額に入れた壁掛け型観賞用植物である。
【０００６】  保水性に優れ植物根茎の植生を促進する素材や材質の組合せ構造である植生基盤材を額やボードに装備した基本構成とする。
【０００７】  額に入れた観賞用植物の根茎部を観賞性の良いカバー材で覆うし、額の下部は植生基盤材欠片の落下防止や水漏れ防止構造とする。
【作用】
【０００８】  本考案の作用を述べると、
額に入った蘭などの観賞用植物は額やボードに装備した植生基盤材に水や栄養分を注入することで植生する作用である。
【０００９】  蘭などの観賞用植物を入れた額やボードは壁などの縦面へのセットが容易にできる作用である。
【００１０】  観賞用植物の観賞性に劣る根茎部を観賞性の良いカバー材で覆い外部より見えにくくするし、植生基盤材欠片の落下や水漏れは額下部の保護構造により防止する作用である。
【考案を実施するための最良の形態】
【００１１】  具体実施例を述べれば、
（イ）  観賞用植物の代表的品種である胡蝶蘭を額やボードに装備した植生基盤材に植え込む。
（ロ）  額やボードに装備した植生基盤材は保水性に優れ根の成育性が良いセラミックス等の多孔質素材や繊維素材やこれらの組合せとする。
（ハ）  観賞用植物の根茎カバー材は鉢や篭や竹細工など観賞性に優れたデザイン構成とする。
（ニ）  額は植生基盤材欠片の落下防止や水漏れ防止など室内の汚染防止構造とする。
（ホ）  各種盆栽と額やボードを組合せて、額に入れた盆栽とする。
（ヘ）  額やボードに自動給水装置を組合せる。
（ト）  額やボードに花瓶等の容器を組合せて生花用としても兼用できる構成とする。
（チ）  大型額とてして壁全体を覆う構成とする。
（リ）  小型額を複数組合せて総合的な観賞構成とする。
【効果】
【００１２】  本考案により室内の壁などの縦面において最適な視界条件のもとに蘭などの観賞用植物を楽しむことが出来ますし、観賞用植物の成育変化状況の観賞や育てる楽しみを味わうこともでき、特に植生植物の開花時の感動は大変素晴らしい効果である。
【００１３】  また、額やボードに入れた壁掛け型観賞用植物は移設や掛け替えが容易であり変化に富んだ観賞を楽しめます。
【００１４】  本考案の額やボードに入れた壁掛け型観賞用植物により室内などでの今までに無かった新しい配置での観賞空間を生み出すことができますし、環境汚染により緑化運動の推進が叫ばれている今日において室内の緑化を拡大し癒し効果を高め健康で明るく楽しく環境に良い社会づくりに大きく貢献するものであります。
0003135647.tif 000003
【手続補正書】
【提出日】平成19年6月11日(2007.6.11)
【手続補正１】
【補正対象書類名】実用新案登録請求の範囲
【補正対象項目名】全文
【補正方法】変更
【補正の内容】
【実用新案登録請求の範囲】
【請求項１】
植生する観賞用植物１を掲示用の額３のほぼ中央部に組合せた額に入れた壁掛け型観賞用植物。
【請求項２】
直接植栽する観賞用植物１を植生基盤材料２を有した壁掛け掲示用の額３やボードのほぼ中央部に組合せたことを特徴とした請求項１記載の額に入れた壁掛け型観賞用植物。
【手続補正２】
【補正対象書類名】明細書
【補正対象項目名】全文
【補正方法】変更
【補正の内容】
【考案の詳細な説明】
【技術分野】
【０００１】  本考案は屋内や室内の壁などに掛けて掲示する額やボードに植生する観賞用植物を組合せた額やボードに入れた壁掛け型観賞用植物に関するものである。
【背景技術】
【０００２】  従来、観葉植物など植生する観賞用植物においては鉢やプランターなどの容器に植えて床上、机上、棚上などに立てた姿勢でのセットが一般的であって、絵画のように壁など縦面への掲示し壁掛け状態で観賞できる技術は開発されていなかった。
【考案が解決しようとする課題】
【０００３】  額に入った絵画は壁など縦面に掲示されて視界的にも鑑賞用として最適な配置となり癒しなどに有効に作用していますが、植生する観賞用植物は鉢植えやプランター植えなどが一般的であり床や机や棚などに立てた姿勢でのセットであって、視界的にも観賞用として満足し得るものではなかったし、ポジション的なマンネリ化の問題もあった。
【０００４】  観賞をより有効に楽しむためには、視界の配置的に最も有効と言われている額に入った絵画とほぼ同様なポジションに植生する観賞用植物を掲示できる技術の開発が必要であった。
【課題を解決する手段】
【０００５】  本課題を解決する基本的手段を説明すれば、
代表的な観賞用植物として栽培される蘭などの植生する観賞用植物１と内部に植生基盤材料２を有した植物植生機構を額３やボードのほぼ中央部に組合せた額に入れた壁掛け型観賞用植物である。
【０００６】  保水性に優れ植物根茎の植生を促進する素材や材質の組合せ構造である植生基盤材料２を壁５に掛けた額３やボードに装備した基本構成とする。
【０００７】  額３に入れた観賞用植物１の根茎部を観賞性の良いカバー材４で覆うし、額３の下部は植生基盤材料２の欠片落下防止や水漏れ防止構造とする。
【作用】
【０００８】  本考案の作用を述べると、
額３に入った蘭などの観賞用植物１は額３やボードに装備した植生基盤材料２に水や栄養分を注入することで植生する作用である。
【０００９】  蘭などの観賞用植物１を入れた額３やボードは壁５などの縦面へのセットが容易にできる作用である。
【００１０】  観賞用植物１の観賞性に劣る根茎部を観賞性の良いカバー材４で覆い外部より見えにくくするし、植生基盤材欠片の落下や水漏れは額下部の保護構造により防止する作用である。
【考案を実施するための最良の形態】
【００１１】  具体実施例を述べれば、
（イ）観賞用植物１の代表的品種である胡蝶蘭を額３やボードに装備した植生基盤材料２に植え込む。
（ロ）額３やボードに装備した植生基盤材料２は保水性に優れ根の成育性が良いセラミックス等の多孔質素材や繊維素材やこれらの組合せとする。
（ハ）観賞用植物１の根茎カバー材４は鉢や篭や竹細工など観賞性に優れたデザイン構成とする。
（ニ）額３は植生基盤材欠片の落下防止や水漏れ防止など室内の汚染防止構造とする。
（ホ）各種盆栽と額３やボードを組合せて、額に入れた盆栽とする。
（ヘ）額３やボードに自動給水装置を組合せる。
（ト）額３やボードに花瓶等の容器を組合せて生花用としても兼用できる構成とする。
（チ）大型額とてして壁全体を覆う構成とする。
（リ）小型額を複数組合せて総合的な観賞構成とする。
【効果】
【００１２】  本考案により室内の壁などの縦面において最適な視界条件のもとに蘭などの観賞用植物１を楽しむことが出来ますし、観賞用植物１の成育変化状況の観賞や育てる楽しみを味わうこともでき、特に植生植物の開花時の感動は大変素晴らしい効果である。
【００１３】  また、額３やボードに入れた壁掛け型観賞用植物は移設や掛け替えが容易であり変化に富んだ観賞を楽しめます。
【００１４】  本考案の額３やボードに入れた壁掛け型観賞用植物により室内などでの今までに無かった新しい配置での観賞空間を生み出すことができますし、環境汚染により緑化運動の推進が叫ばれている今日において室内の緑化を拡大し癒し効果を高め健康で明るく楽しく環境に良い社会づくりに大きく貢献するものであります。
【図面の簡単な説明】
【００１５】
【図１】は本考案の一例を示す斜視図
【符号の説明】
【００１６】  １は観賞用植物
２は植生基盤材料
３は額
４はカバー材
５は壁
【手続補正３】
【補正対象書類名】図面
【補正対象項目名】全図
【補正方法】追加
【補正の内容】
【図１】
0003135647.tif 000004